(57)【要約】【課題】エレベーター制御プログラムの書き換えを効率良く行なえるエレベーター制御プログラム伝送管理システムの提供。【解決手段】本発明であるエレベーター制御プログラム伝送管理システムでは、監視センター１には、ＲＯＭ２３からＲＡＭ２４へ切り換え確認発報を正常に受信したことを検出し、この検出に応じて、エレベー夕ーの制御プログラムの対策／改造データを自動伝送もしくは停止するか確認する手段１ａを設けたことと、手段１ａ後、手段１ａの情報を保守管理システム３１の記憶部３２とデータを連携する手段２ａを設けたため、エレベーター制御プログラムの伝送管理と現地の進捗管理、また、保守管理システムとのデータ連携を達成することが可能となる。【選択図】図１
2008168991.tif 000002
【特許請求の範囲】
【請求項１】
エレベーターの遠隔監視・診断を行う診断装置と、この診断装置に通信回線を介して遠隔的に接続される監視センターと、当該エレベーター制御プログラムを保管するＭＰＵデータベースシステムと、エレベーターの保守作業日を設定・管理する保守管理システムとを備えたエレベーター制御プログラム伝送管理システムにおいて、前記診断装置が当該エレベーター制御プログラムのＲＯＭからＲＡＭへの切り換え状態を前記監視センターヘ通報する切り換え状態通報手段と、この切り換え状態通報手段を受信した監視センタは、前記診断装置を介し当該エレベーター制御プログラムの状態を確認するプログラム確認手段と、このプログラム確認手段の結果、前記保守管理システムに設定される当該エレベーターの作業日に合せて、前記ＭＰＵデータベースシステムに記憶されるエレベーター制御プログラムの書き換えを行なうプログラム書き換え手段とを備えたことを特徴とするエレベーター制御プログラム伝送管理システム。
【発明の詳細な説明】
【技術分野】
【０００１】
本発明は、エレベーター制御プログラム伝送管理システムに関する。
【背景技術】
【０００２】
一般的に、エレベーターの動作を制御する制御プログラムと、エレベーターの遠隔監視・診断を行う診断装置と、エレベーターの状態を把握する監視センタと、制御プログラムを保管しておく、ＭＰＵデータベースシステムと、保守日のスケジュール情報を管理する保守管理システムから、構成されている。
【０００３】
遠隔監視の技術を応用として、制御プログラムの書き替えにエレベーターの運行停止を要しないエレベーター制御装置を提供する技術が公開されている（特許文献１参照）。
【特許文献１】特開２００５−１８８５４６
【発明の開示】
【発明が解決しようとする課題】
【０００４】
しかしながら、前記従来技術においても、今までのエレベーターの制御プログラムのデータ伝送をしていなかったこと、現地ＲＯＭでエレベーターの制御プログラムのデー夕を保管し、ＲＡＭに切り換えることをしていなかったこと、ＲＯＭからＲＡＭへの切り換え時に、診断装置が切り替え状態を監視センターヘ発報していなかったため、ＭＰＵデータベースシステムで保管するエレベーターの制御プログラムのデータを伝送する判断ができなかった。これより、現地でエレベーターの制御プログラムのデータを、ＲＯＭからＲＡＭへの切り換え状態が把握できず、切り換え前に新しいデータを伝送する不都合があった。
【０００５】
また、前記のように現地の状態を把握することができないと、エレベーター制御プログラムのデータを、ＲＯＭからＲＡＭへの切り換える保守日のスケジュールも決めることができないことから、保守日に、現地のＲＯＭ伝送が失敗に終わり、保守日に保守が迅速にできないような不具合があった。
【０００６】
本発明の目的は、エレベーター制御プログラムの書き換えを効率良く行なえるエレベーター制御プログラム伝送管理システムを提供することにある。
【課題を解決するための手段】
【０００７】
上記目的を達成するため日本発明は、エレベーターの遠隔監視・診断を行う診断装置と、この診断装置に通信回線を介して遠隔的に接続される監視センターと、当該エレベーター制御プログラムを保管するＭＰＵデータベースシステムと、エレベーターの保守作業日を設定・管理する保守管理システムとを備えたエレベーター制御プログラム伝送管理システムにおいて、前記診断装置が当該エレベーター制御プログラムのＲＯＭからＲＡＭへの切り換え状態を前記監視センターヘ通報する切り換え状態通報手段と、この切り換え状態通報手段を受信した監視センターは、前記診断装置を介し当該エレベーター制御プログラムをの状態を確認するプログラム確認手段と、このプログラム確認手段の結果、前記保守管理システムに設定される当該エレベーターの作業日に合せて、前記ＭＰＵデータベースシステムに記憶されるエレベーター制御プログラムの書き換えを行なうプログラム書き換え手段とを備えたものである。
【０００８】
このようにしたので、エレベーター制御プログラムのデータをＲＯＭからＲＡＭへ切り換え情報を監視センターで受け、保守管理システムの情報から当該エレベーターの作業日に合せてエレベーター制御プログラムを書き換えるようにしたので、作業者が書き換えの確認を迅速に行なえ、トラブルが発生しても即時の対応も可能となる。
【発明の効果】
【０００９】
本発明によれば、作業日に合せてエレベーター制御プログラムのデータを書き換えるようにしたので、エレベーター制御プログラムの書き換え作業が効率良く行なえる。
【発明を実施するための最良の形態】
【００１０】
以下、本発明を実施するための最良の形態を図に基づいて説明する。
【００１１】
図１は本発明の一実施形態を示すエレベーター制御プログラムのデータ自動伝送管理システムの全体構成を示すブロック図で、図２は本発明の一実施形態であるエレベーター制御プログラムのデータ自動伝送管理から保守管理システムとのデータ連携までの動作を示すフローチャートである。
【００１２】
まず、図１を参照して、本実施形態に関わるエレベーター制御プログラム伝送管理システムの基本的な構成を説明する。
【００１３】
図１において、本発明であるエレベーター制御プログラム伝送管理システムは、エレベーターの制御プログラムを記憶部２で保管し、保管したエレベーターの制御プログラムを、監視センター１の通信部３から、一般公衆回線１１を通り、現地エレベーター２１にある通信部２２を得て、ＲＯＭ２３ヘデータを自動伝送する。
【００１４】
エレベーターの制御プログラムのデータは、自動伝送後、ＲＯＭ２３からＲＡＭ２４へ切り換えを実行し、ＲＯＭ２３からＲＡＭ２４へ切り換えが完了後、エレベーターの走行状態を確認する。さらに、ＲＯＭ２３からＲＡＭ２４へ切り換えの発報を現地エレベーター２１にある通信部２２から、一般公衆回線１１を通り、監視センター１の通信部３から記憶部２に受信することで、ＲＯＭ２３からＲＡＭ２４への切り換えが完了したか監視センター１で確認することができる。
【００１５】
また、監視センター１では、ＲＯＭ２３からＲＡＭ２４への切り換え状況を把握することで、エレベーターの制御プログラムの対策／改造データを自動伝送或は停止することを備えて構成されている。ここで、自動伝送の判断は現地エレベーター２１に設置されているものとする。
【００１６】
さらに、監視センター１には、ＲＯＭ２３からＲＡＭ２４へ切り換え確認発報を正常に受信したことを検出し、この検出に応じて、エレベーターの制御プログラムの対策／改造データを自動伝送もしくは停止するか確認する手段１ａが設けられている。また、手段１ａ後、手段１ａの情報を保守管理システム３１の記憶部３２とデータを連携する手段２ａが設けられている。
【００１７】
以下、図１および図２を併用して、本発明の要部であるエレベーター制御プログラム伝送管理システムの動作について説明する。
【００１８】
図２に示す通り、監視センター１から、ＲＯＭ２３ヘエレベーター制御プログラムのデータ自動伝送を実施し（Ｓｌ）、監視センター１からＲＯＭ２３へ自動伝送が完了する（Ｓ２）。
【００１９】
そして、ＲＯＭ２３からＲＡＭ２４へ、エレベーター制御プログラムのデータ切り換え状態を確認する（Ｓ３）。ここで、切り換え状態がフラグ０の場合なら、フラグ０となったことを確認し（Ｓ４）、Ｓ４の情報を保守管理システム３１とデータの連携を行ない（Ｓ５）、また、切り換え状態がフラグ１の場合なら、現地の切り換えが実施しておらず、エレベーター制御プログラムのデータ自動伝送を停止する（Ｓ７）。
【００２０】
また、Ｓ４において、現地がＲＯＭ２３からＲＡＭ２４へ切り換え実行した場合、ＲＯＭ２３からＲＡＭ２４へ切り換え確認発報に対して、監視センター１が正常に受信したことを検出するとフラグ０となり、保守管理システム３１に記憶されているエレベーターの保守作業日に合せて、当該エレベーター制御プログラムのデータ自動伝送を開始する（Ｓ４）。
【００２１】
次に、現地切り換えが完了し、エレベーター正常稼動するか作業者が確認する（Ｓ６）。
【００２２】
本発明によれば、上記の通り、監視センター１には、ＲＯＭ２３からＲＡＭ２４へ切り換え確認発報を正常に受信したことを検出し、この検出に応じて、エレベーターの制御プログラムの対策／改造データを自動伝送もしくは停止するか確認する手段１ａを設けたことと、手段１ａ後、手段１ａの情報を保守管理システム３１の記憶部３２とデータを連携する手段２ａを設けたため、エレベーター制御プログラムの現地への伝送管理と現地の進捗管理ができることを達成することが可能となる。
【００２３】
また、上記の通り、エレベーター制御プログラムのデータをＲＯＭからＲＡＭへ切り換え情報を同期する手段を設けたため、保守管理システムとデータ連携をすることが可能となる。
【図面の簡単な説明】
【００２４】
【図１】本発明の一実施形態を示すエレベーター制御プログラム伝送管理システムの全体構成を示すブロック図である。
【図２】本発明の一実施形態であるエレベーター制御プログラムのデータ自動伝送管理から保守管理システムとのデータ連携までの動作を示すフローチャートである。
【符号の説明】
【００２５】
１  監視センター
１ａ  フラグ確認
２  記憶部１
２ａ  保守管理システム連携
３  通信部１
１１  一般公衆回線
２１  現地エレベーター
２２  通信部２
２３  記憶部２１（ＲＯＭ）
２４  記憶部２２（ＲＡＭ）
３１  保守管理システム
３２  記憶部３
【図１】
2008168991.tif 000003
【図２】
2008168991.tif 000004